(57)【要約】【課題】  台所等の屋内床面上に敷設する健康マットとして、足裏刺激の度合をソフトとハードとに使い分け可能であり、使用初期には使い易い軽い刺激、馴れて来れば強い刺激が得られるように選択でき、軽量であり、安価に製造できるものを提供する。【解決手段】  平坦な下敷きシート部１と周枠部２とを備えたベース１０上に、表裏両面に互いに反対面側で凹所３３，３４となる独立凸部３１，３２群を有する合成樹脂製の凹凸シート３が着脱可能に敷設され、凹凸シート３の表面側の独立凸部３１と裏面側の独立凸部３２とが異なる大きさに設定されてなるものとしている。【選択図】                図７
2005198811.tif 000002
【特許請求の範囲】
【請求項１】
平坦な下敷きシート部と周枠部とを備えたベース上に、表裏両面に互いに反対面側で凹所となる独立凸部群を有する合成樹脂製の凹凸シートが着脱可能に敷設されると共に、該凹凸シートの表面側の独立凸部と裏面側の独立凸部とが異なる大きさに設定されてなる健康マット。
【請求項２】
前記ベースの下敷きシート部の上面にずれ止め層が設けられてなる請求項１記載の健康マット。
【請求項３】
前記凹凸シートの表裏両面の独立凸部群は、隣接する独立凸部同士が稜部で接続してなる請求項１又は２に記載の健康マット。
【請求項４】
前記凹凸シートの表裏両面の独立凸部が縦横碁盤目状に配列し、各独立凸部の反対面側で構成する凹所が該反対面側の４つの独立凸部に囲まれた中央に配置する請求項１〜３のいずれかに記載の健康マット。
【請求項５】
前記凹凸シートの肉厚が０．３〜１．０ｍｍの範囲にある請求項１〜４のいずれかに記載の健康マット。
【請求項６】
前記ベースと凹凸シートとを有するマット単位同士を周枠部で相互に連結する連結手段を有してなる請求項１〜５のいずれかに記載の健康マット。
【発明の詳細な説明】
【技術分野】
【０００１】
本発明は、台所、居間、玄関等の屋内床面上に敷設し、その上を歩いた際に足裏が刺激されて血行促進作用や経絡刺激による健康増進作用を生じる健康マットに関する。
【背景技術】
【０００２】
古来より、割竹を踏んだ際に足裏が刺激され、血行促進や経絡（つぼ）刺激による健康増進の効果が得られることが知られている。そして、近年においては、この足裏刺激効果を応用し、健康マット、健康スリッパ、健康サンダル、靴中敷き等として、表面にいぼ状の突起群を設けたものが種々市販されている。
【０００３】
しかるに、前記突起群による足裏の刺激度合は、突起の形、大きさ、高さ、材質、配置間隔等によって任意に設定できるが、使用者の馴れによって次第に刺激が薄れて物足りなく感じる一方、当初から強い刺激が得られるように設定すると、使用初期の段階で痛みを覚えて使いにくいことになる。また、一般的に前記突起群はゴム質の厚肉シートの片面に一体形成されることから、特にマットのようなサイズが大きいものに適用した場合に全体の重量が重くなると共に、製造コストが高くなるという難点があった。
【発明の開示】
【発明が解決しようとする課題】
【０００４】
本発明は、上述の状況に鑑み、特に台所等の屋内床面上に敷設する健康マットとして、足裏刺激の度合をソフトとハードとに使い分け可能であり、使用初期には使い易い軽い刺激、馴れて来れば強い刺激が得られるように選択でき、しかも軽量であり、且つ安価に製造できるものを提供することを目的としている。
【課題を解決するための手段】
【０００５】
上記目的を達成するために、本発明の請求項１に係る健康マットは、図面の参照符号を付して示せば、平坦な下敷きシート部１と周枠部２とを備えたベース１０上に、表裏両面に互いに反対面側で凹所３３，３４となる独立凸部３１，３２群を有する合成樹脂製の凹凸シート３が着脱可能に敷設されると共に、該凹凸シート３の表面側の独立凸部３１と裏面側の独立凸部３２とが異なる大きさに設定されてなるものとしている。
【０００６】
また、上記請求項１の健康マットの好適態様として、請求項２の発明では前記ベース１０の下敷きシート部１の上面にずれ止め層が設けられてなる構成を採用している。
【０００７】
同様に、請求項３の発明では、前記凹凸シート３の表裏面の独立凸部３１，３２群は、隣接する独立凸部３１，３１、３２，３２同士が稜部３１ａ，３２ａで接続してなるものとしている。
【０００８】
同じく、請求項４の発明は、前記凹凸シート３の表裏面の独立凸部３１，３２が縦横碁盤目状に配列し、各独立凸部３１（３２）の反対面側で構成する凹所３３（３４）が該反対面側の４つの独立凸部３２…（３１…）に囲まれた中央に配置する構成としている。
【０００９】
更に、請求項５の発明は、前記凹凸シート３の肉厚が０．３〜１．０ｍｍの範囲にあるものとしている。
【００１０】
一方、請求項６の発明は、前記ベース１０と凹凸シート３とを有するマット単位Ｍ３，Ｍ３（Ｍ４，Ｍ４）同士を周枠部２，２で相互に連結する連結手段（連結ピン５、ピン孔６、連結具７、スリット８）を有してなるものとしている。
【発明の効果】
【００１１】
請求項１の発明に係る健康マットでは、表裏面に独立凸部群を有する凹凸シートがベースに対して着脱可能であるため、該凹凸シートの表裏反転による二通りの使用形態を選択できると共に、その表面側の独立凸部と裏面側の独立凸部の大きさが異なることから、両使用形態における足裏刺激の強弱度合に違いがある。従って、使用初期には軽い刺激が得られる側を上面にして使い易くし、その刺激に使用者が馴れて物足りなく感じるようになれば、該凹凸シートを反転することによって強い刺激が得られるように転換できる。なお、表裏の独立凸部は同じ高さになるから、その配置間隔が同じである場合、頂部サイズの小さい独立凸部群を有する側が刺激の強いハード面、反対側の頂部サイズの大きい独立凸部群を有する側が刺激の弱いソフト面となる。
【００１２】
また、この凹凸シートの表裏面の各独立凸部は反対面側で凹所となる中空状に形成されているため、該凹凸シートが軽量であってマット全体の重量も軽くなり、それだけ運搬や取り扱いが容易であると共に、該凹凸シートとベースの下敷きシートとの間に構成される空気層による断熱保温効果も得られる。更に、このような凹凸シートは安価な熱可塑性合成樹脂の平坦シートを原材として型押し成形、真空成形、圧空成形等で容易に製作できるから、健康マット全体としても安価に製作可能となる。
【００１３】
請求項２の発明によれば、ベースの下敷きシート部の上面に設けられたずれ止め層により、凹凸シートに非垂直方向の力が加わっても、該凹凸シートはずれ動くことなく下敷きシート部に密着した状態を保持するから、使用者は健康マット上を安全に歩行できる。
【００１４】
請求項３の発明によれば、凹凸シートの表裏面における独立凸部群は、隣接する独立凸部同士が稜部で接続していることから、使用者の踏みしめによる座屈を生じにくく、もって健康マットの耐久性が向上する。
【００１５】
請求項４の発明によれば、凹凸シートの表裏面の独立凸部群が同じ配置間隔で且つ面全体に均等に配置することから、頂部サイズの小さい独立凸部群を有する側がハード面、反対側の頂部サイズの大きい独立凸部群を有する側がソフト面になると共に、表裏の各面では凹凸シート踏みしめ部位による刺激度合の差を生じない。
【００１６】
請求項５の発明によれば、凹凸シートは、特定範囲の肉厚を有することから、平坦シート原材からの成形が容易であると共に、充分な強度を備えるものとなる。
【００１７】
請求項６の発明によれば、前記ベースと凹凸シートとを有するマット単位の連結により、使用部位の状況に合わせて、任意の大きさ（広さ）及び全体形状の健康マットを構成できる。
【発明を実施するための最良の形態】
【００１８】
以下に、本発明に係る健康マットの実施形態について、図面を参照して具体的に説明する。図１〜図７は第一実施形態、図８は第二実施形態、図９〜図１１は第三実施形態、図１２は第四実施形態をそれぞれ示す。
【００１９】
第一実施形態の健康マットＭ１は、ベース１０の下敷きシート部１上に、ずれ止め層４を介して、表裏両面に頂部が平坦な円形をなして且つ表裏で径の異なる独立凸部３１，３２群を有する凹凸シート３が敷設されてなる。しかして、ベース１０は、下敷きシート部１と、縦断面コ字状の周枠部２とで構成されている。
【００２０】
凹凸シート３の両面の独立凸部３１，３２群は、図１及び図２に示すように縦横碁盤目状に配列すると共に、それぞれの凸形が反対面側では凹形をなしており、図１〜図３では表側に位置する頂部径の大きい各独立凸部３１が裏側で凹所３３を、同じく裏側に位置する頂部径の小さい各独立凸部３２が表側で凹所３４を構成している。そして、表側の各独立凸部３１に対応した裏側の凹所３３は４つの独立凸部３２…に囲まれた中央に位置し、同様に裏側の各独立凸部３２に対応した表側の凹所３４も４つの独立凸部３１…に囲まれた中央に位置している。
【００２１】
また、図３（Ｂ）（Ｃ）及び図４，５に示すように、表裏で各々隣接する独立凸部３１，３１同士ならびに独立凸部３２，３２同士は、延び方向に対する垂直断面がアーチ形をなす稜部３１ａ，３２ａで接続している。なお、この表裏の稜部３１ａ，３２ａは凹凸シート３における同一部分をなしており、一面側における前記垂直断面のアーチ形は他面側における稜部の凹円弧状稜線に対応している。
【００２２】
図７に示すように、凹凸シート３の周縁部はベース１０の周枠部２内に嵌合しており、その周枠部２の直線部分では、当該周枠部２の上部側端縁に設けた下向き突縁部２ａが凹凸シート３の上面側の独立凸部３２…の狭間に入り込んで該凹凸シート３を係止している。しかして、凹凸シート３のコーナー部は周枠部２のアールに沿って切除することにより、該コーナー部での独立凸部３２，３２の挟み込みによる潰れや歪みを回避している。
【００２３】
上記構成の健康マットＭ１では、使用初期には図１〜図３及び図５のように凹凸シート３の頂部径の大きい独立凸部３１…群を有する側を上面にして用い、馴れてくれば該凹凸シート３の表裏を反転させ、図４及び図６のように頂部径の小さい独立凸部３２…群を有する側を上面にして用いることができる。すなわち、この健康マットＭ１における単位面積当たりの独立凸部の密度は表裏で同じであるが、頂部径の大きい独立凸部３１…群を有する側では、使用者の体重が大きな面積で支えられるため、足裏への刺激はソフトになり、刺激に馴れていない使用初期の段階においては痛みを伴わずに心地良い使用感が得られる。そして、使用者が刺激に馴れて物足りなさを感じるようになった段階で、頂部径の小さい独立凸部３２…群を上向きにして用いれば、使用者の体重を小さい面積で支えるために、各独立凸部３２の足裏への食い込みが強くなり、初期の刺激に馴れた使用者でも満足できるハードな刺激が得られる。
【００２４】
上記のように健康マットＭ１の使用形態をソフトからハードに変えるには、ベース１０の周枠部２を取り外し、凹凸シート３の表裏を反転させて下敷きシート部１上に置き、再び該周枠部２を取り付けれるだけでよいから、操作的には非常に簡単である。
【００２５】
しかして、凹凸シート３の両面の各独立凸部３１，３２は共に、各々４本の稜部３１ａ…，３２ａ…を介して縦横に隣接する４つの独立凸部３１…，３２…に対して接続しており、これら４本の稜部３１ａ…，３２ａ…が補強リブとして作用することから、該凹凸シート３の肉厚が薄くとも大きな耐荷重強度を発揮し、使用者の踏みしめによる座屈を生じにくい。また、下敷きシート部１の上面にはずれ止め層４が設けてあるため、凹凸シート３は使用中に非垂直方向の力が加わっても下敷きシート部１に密着した状態を保持するから、使用者がマット上を歩行した際に凹凸シート３のずれ動きによって足を滑らせるといった危険性はない。従って、この健康マットＭ１は、耐久性及び安全性に優れている。
【００２６】
更に、この健康マットＭ１は、独立凸部３１…群及び３２…群の存在によって全厚が厚いにも拘らず、これら独立凸部３１…群及び３２…群が薄肉の凹凸シート３によって構成されているため、全体が軽量であって運搬等の取り扱い性に優れており、また凹凸シート３とベース１０の下敷きシート部１との間に空気層が存在するため、断熱保温性も良好である。
【００２７】
このような健康マットＭ１に用いる凹凸シート３は、熱可塑性樹脂の平坦シートを原材とし、加熱下で型押し成形、真空成形、圧空成形等を施すことによって独立凸部３１，３２群を形成すればよい。この凹凸シート３の熱可塑性樹脂としては、特に制約はなく、例えばポリプロピレン、ポリエチレン、ポリスチレン、ポリエチレンテレフタレート、ポリカーボネート等の汎用樹脂を好適に使用できる。
【００２８】
また、該凹凸シート３の肉厚つまり原材となる平坦シートの厚さは、０．３〜１．０ｍｍの範囲がよく、薄過ぎては強度が不充分となって独立凸部３１，３２の座屈を生じ易く、逆に厚すぎては凹凸状に成形することが困難である。一方、独立凸部３１，３２としては、頂部径が３〜１０ｍｍ程度の範囲で、両者の頂部径の比が前者／後者で１／０．３〜１／０．７程度、また配置ピッチが１０〜３０ｍｍ程度とするのがよい。なお、独立凸部３１，３２の頂部形状は、種々設定可能であるが、触感的には円形が好ましい。
【００２９】
ベース１０の下敷きシート部１の材料としては、特に制約はなく、軟質ないし硬質の合成樹脂及びその発泡体、合成ゴム、厚地の織布、不織布、ガラスクロス、これら布材の樹脂含浸体、これら布材及び樹脂含浸体に滑り止め用の裏打ちゴム層を設けたもの、布材−合成樹脂ラミネートシート等が挙げられる。また、ベース１０の周枠部２としては、合成樹脂又はゴムの成形物が使用される。更に、下敷きシート部１上のずれ止め層４は、両面粘着シートやゴムシートを下敷きシート部１上に貼着することによって形成される。
【００３０】
図８に示す第二実施形態の健康マットＭ２は、凹凸シート３及びずれ止め層４については前記第一実施形態と同様であるが、ベース１０として下敷きシート部１と周枠部２とを一体化した合成樹脂又は合成ゴムの成形物を用いている。しかして、この健康マットＭ２では、ベース１０の下敷きシート部１の周辺部要所に開口部１０ａを設けており、凹凸シート３を反転させる際、開口部１０ａにて手指で該凹凸シート３を持ち上げて周縁を周枠部２から抜出させ、もって該凹凸シート３をベース１０から容易に離脱できるようになっている。
【００３１】
図９，図１０に示す第三実施形態の健康マットＭ３は、矩形（図では正方形）のベース１０の隣接する２辺に各々連結ピン５，５が突設されると共に、他の隣接する２辺に連結ピン５，５の突設位置に対応した連結孔６，６が穿設されており、このベース１０の下敷きシート部１上にずれ止め層４を介して前記同様の凹凸シート３が着脱可能に敷設されている。しかして、この健康マットＭ３は小サイズのマット単位を構成するものであり、これら健康マットＭ３，Ｍ３同士を、図９（Ａ）（Ｂ）に示すように、一方の連結ピン５，５を他方の連結孔６，６に圧入することによって相互に連結し、例えば図１１に示すように複数枚を組み合わせて所要の大きさのマットを形成できるようになっている。
【００３２】
なお、健康マットＭ３，Ｍ３同士の着脱を容易にするために、連結ピン５を半割りピン形態や十字割りピン形態にしてもよい。また、べース１０の各辺における連結ピン５（連結孔）の数と形成位置は、例示以外に種々設定可能である。
【００３３】
図１２（Ａ）（Ｂ）に示す第四実施形態の健康マットＭ４は、前記第三実施形態の健康マットＭ３同様に小サイズのマット単位を構成するものであるが、各々の矩形のベース１０の周枠部２における上部外縁の要所（例えば矩形の各辺二箇所）にスリット８が設けてあり、これら健康マットＭ４，Ｍ４同士を接合した状態で、両者のスリット８，８にわたって、独立部材である下向きコ字状の連結片７を上方から圧嵌させることにより、相互に連結できるようになっている。なお、連結片７は、二股の先端に外向きの鉤部７ａ，７ａを有しており、これら鉤部７ａ，７ａがスリット８，８の内縁に係嵌することによって不用意に外れないようにしてある。
【００３４】
なお、上記の第四実施形態では連結片７を上方から圧嵌させる構造になっているが、ベース１０の下面周縁部に同様のスリットを設け、下方から同様の連結片を圧嵌して健康マット単位同士を連結する構成としてもよい。
【００３５】
更に、本発明においては、健康マット単位同士を連結するために、例示した第三及び第四実施形態以外の種々の連結手段を採用可能である。また、前記第三及び第四実施形態ではベース１０として下敷きシート部１と周枠部２とを一体化したものを例示しているが、前記第一実施形態のように下敷きシート部１と周枠部２とが別部材であるベース１０を用いた構成においても同様の連結構造を採用できる。しかして、これら連結式の健康マット単位の外形は、矩形（正方形を含む）に限らず、二等辺三角形、正三角形、菱形、平行四辺形、六角形等に種々設定可能である。
【図面の簡単な説明】
【００３６】
【図１】本発明の第一実施形態に係る健康マットのソフト面使用形態における平面図である。
【図２】図１の仮想線枠Ｚ内の拡大図である。
【図３】同健康マットの縦断面を示し、（Ａ）は図２のＡ−Ａ線の断面矢視図、（Ｂ）は図２のＢ−Ｂ線の断面矢視図、（Ｃ）は図２のＣ−Ｃ線の断面矢視図である。
【図４】同健康マットのハード面使用形態における縦断側面図である。
【図５】同健康マットのソフト面使用形態における要部の斜視図である。
【図６】同健康マットのハード面使用形態における要部の斜視図である。
【図７】同健康マットのソフト面使用形態における端部の縦断面図である。
【図８】本発明の第二実施形態に係る健康マットの端部の縦断面図である。
【図９】本発明の第三実施形態に係る健康マット単位の相互の連結操作を示し、（Ａ）は連結前の端部の縦断面図、（Ｂ）は連結後の端部の縦断面図である。
【図１０】同第三実施形態の健康マット単位の平面図である。
【図１１】同第三実施形態の健康マット単位同士の連結状態の一例を示す概略平面図である。
【図１２】本発明の第四実施形態に係る健康マット単位の相互の連結操作を示し、（Ａ）は連結前の端部の縦断面図、（Ｂ）は連結後の端部の縦断面図である。
【符号の説明】
【００３７】
Ｍ１〜Ｍ４      健康マット
１              下敷きシート部
１０            ベース
２              周枠部
３              凹凸シート
３１，３２      独立凸部
３１ａ，３２ａ  稜部
３３，３４      凹所
４              ずれ止め層
５              連結ピン（連結手段）
６              連結孔（連結手段）
７              連結片（連結手段）
８              スリット（連結手段）
【図１】
2005198811.tif 000003
【図２】
2005198811.tif 000004
【図３】
2005198811.tif 000005
【図４】
2005198811.tif 000006
【図５】
2005198811.tif 000007
【図６】
2005198811.tif 000008
【図７】
2005198811.tif 000009
【図８】
2005198811.tif 000010
【図９】
2005198811.tif 000011
【図１０】
2005198811.tif 000012
【図１１】
2005198811.tif 000013
【図１２】
2005198811.tif 000014